(57)【特許請求の範囲】
【請求項１】
入力画像から１画面分の画像データを順次生成する画像生成手段と、
この画像生成手段により生成される１画面分の画像データを記憶する画像記憶手段と、
この画像記憶手段に記憶された１画面分の画像データを読み出して表示手段に表示する画像表示制御手段と、
を備えた画像表示装置において、
前記画像生成手段により順次生成される１画面分の画像データのうち、複数フレームに１回の割合で該画像データを前記画像記憶手段に転送して記憶するように制御する画像転送制御手段を備えたことを特徴とする画像表示装置。
【請求項２】
入力画像から１画面分の画像データを順次生成する画像生成手段と、
この画像生成手段により生成される１画面分の画像データを記憶する画像記憶手段と、
この画像記憶手段に記憶された１画面分の画像データを読み出して表示手段に表示する画像表示制御手段と、
を備えた画像表示装置において、
前記画像生成手段において前記入力画像から複数フレームに１回の割合で１画面分の画像データを生成させるように制御する画像生成制御手段と、
この画像生成制御手段により前記画像生成手段において画像データが生成された時に、この生成された画像データを前記画像記憶手段に転送するように制御する画像転送制御手段と、
を備えたことを特徴とする画像表示装置。
【請求項３】
前記画像記憶手段に複数画面分の前記画像データを記憶する複数の画像記憶領域を設定し、
前記複数の画像記憶領域のうち１つの画像記憶領域を前記画像転送制御手段により画像データを転送する転送画像領域として設定し、
前記複数の画像記憶領域のうち前記転送画像領域とは異なる１つの画像記憶領域を前記画像表示制御手段により画像データを表示する表示画像領域として設定し、
前記画像転送制御手段により前記転送画像領域に対して１画面分の画像データの転送が終了すると、該転送が終了した転送画像領域とは異なる前記複数の画像記憶領域のうちの１つに転送画像領域を変更し、
前記画像表示制御手段により１画面分の画像データの前記表示手段への表示が終了すると、前記転送が終了した転送画像領域を表示画像領域に変更することを特徴とする請求項１あるいは２記載の画像表示装置。
【請求項４】
入力画像から順次生成される１画面分の画像データを画像記憶手段に転送して記憶した後、この画像記憶手段から画像データを読み出して１画面分の画像データを表示手段に表示する際に、前記順次生成される１画面分の画像データの前記画像記憶手段への転送を制御する画像転送方法において、
前記順次生成される１画面分の画像データのうち、複数フレームに１回の割合で該画像データを前記画像記憶手段に転送して記憶するように制御することを特徴とする画像転送方法。
【請求項５】
入力画像から順次生成される１画面分の画像データを画像記憶手段に転送して記憶した後、この画像記憶手段から画像データを読み出して１画面分の画像データを表示手段に表示する際に、前記順次生成される１画面分の画像データの前記画像記憶手段への転送を制御する画像転送方法において、
前記入力画像から複数フレームに１回の割合で１画面分の画像データを生成させるように制御し、
この画像生成制御により画像データが生成された時に、この生成された画像データを前記画像記憶手段に転送するように制御することを特徴とする画像転送方法。
【請求項６】
入力画像から生成された画像データを画像記憶手段に記憶して表示するためのコンピュータが読み取り可能なプログラムを格納した記憶媒体であって、
入力画像から１画面分の画像データを順次生成させるプログラムコードと、
この順次生成される１画面分の画像データのうち、複数フレームに１回の割合で該画像データを前記画像記憶手段に転送して記憶させるプログラムコードと、
この画像記憶手段に記憶された１画面分の画像データを読み出して表示手段に表示させるプログラムコードと、
を格納したことを特徴とする記憶媒体。
【請求項７】
入力画像から生成された画像データを画像記憶手段に記憶して表示するためのコンピュータが読み取り可能なプログラムを格納した記憶媒体であって、
前記入力画像から複数フレームに１回の割合で１画面分の画像データを生成させるプログラムコードと、
この画像データが生成された時に、この生成された１画面分の画像データを画像記憶手段に転送して記憶させるプログラムコードと、
この画像記憶手段に記憶された１画面分の画像データを読み出して表示手段に表示させるプログラムコードと、
を格納したことを特徴とする記憶媒体。
【発明の詳細な説明】
【０００１】
【発明の属する技術分野】
本発明は、撮像されたカラー画像データからスルー表示を行う際に、その画像データの転送処理に係る画像転送方法、画像表示装置及び記憶媒体に関する。
【０００２】
【従来の技術】
従来、デジタルカメラ等において、例えばＣＣＤ（Charge Coupled Device ）などの撮像素子によって撮像された１フレーム分の画像テータは、ＹＵＶプロセッサでカラープロセス処理（色演算処理）が行われた後、画像メモリに書込まれている。そして、そのＣＣＤからの画像データの取り込み、ＹＵＶプロセッサでカラープロセス処理された後に画像メモリに書込まれた画像データを、フレーム毎にビデオエンコーダに転送することにより、表示部に撮像画像のスルー表示を行うことができる。例えば、１フレームの画像データが１／３０秒で取り込まれるとすれば、秒当り３０コマのスルー表示を行うことができる。
【０００３】
すなわち、従来の表示機能を備えたデジタルカメラでは、撮影する前に撮像素子から取り込まれる被写体の画像を確認するために、そのＣＣＤから秒当り数十コマで取り込まれる画像データをフレーム毎にビデオエンコーダで処理して表示部にスルー表示する機能を備えたものがある。
【０００４】
【発明が解決しようとする課題】
しかしながら、このような従来の表示機能を備えたデジタルカメラにあっては、撮影する前に撮像素子から取り込まれる被写体の画像を確認するために、そのＣＣＤから秒当り数十コマで取り込まれる画像データをフレーム毎にビデオエンコーダで処理して表示部にスルー表示する機能を備えていたが、その秒当り数十コマで取り込まれる画像データをそのままスルー表示すれば、滑らかなモニター画像表示が得られるものの、撮影対象の被写体の画像を確認するだけであれば、滑らかなモニター画像は必ずしも必要ではなく、そのモニター画像の表示のための電力消費の面でも不利であるという問題があった。
【０００５】
本発明の課題は、ＹＵＶプロセッサから転送される画像データを、数フレーム置きに画像メモリに書き込んでビデオエンコーダに転送することにより、コマ落とししたスルー表示を可能として、スルー表示時の消費電力を抑えることができる画像転送方法、画像表示装置及び記憶媒体を提供することである。
【０００６】
【課題を解決するための手段】
請求項１記載の発明は、
入力画像から１画面分の画像データを順次生成する画像生成手段と、
この画像生成手段により生成される１画面分の画像データを記憶する画像記憶手段と、
この画像記憶手段に記憶された１画面分の画像データを読み出して表示手段に表示する画像表示制御手段と、
を備えた画像表示装置において、
前記画像生成手段により順次生成される１画面分の画像データのうち、複数フレームに１回の割合で該画像データを前記画像記憶手段に転送して記憶するように制御する画像転送制御手段を備えたことを特徴としている。
【０００７】
この請求項１記載の発明によれば、
入力画像から１画面分の画像データを順次生成する画像生成手段と、この画像生成手段により生成される１画面分の画像データを記憶する画像記憶手段と、この画像記憶手段に記憶された１画面分の画像データを読み出して表示手段に表示する画像表示制御手段と、を備えた画像表示装置において、画像転送制御手段により、前記画像生成手段により順次生成される１画面分の画像データのうち、複数フレームに１回の割合で該画像データを前記画像記憶手段に転送して記憶するように制御する。
【０００８】
請求項４記載の発明は、
入力画像から順次生成される１画面分の画像データを画像記憶手段に転送して記憶した後、この画像記憶手段から画像データを読み出して１画面分の画像データを表示手段に表示する際に、前記順次生成される１画面分の画像データの前記画像記憶手段への転送を制御する画像転送方法において、
前記順次生成される１画面分の画像データのうち、複数フレームに１回の割合で該画像データを前記画像記憶手段に転送して記憶するように制御することを特徴としている。
【０００９】
この請求項４記載の発明によれば、
入力画像から順次生成される１画面分の画像データを画像記憶手段に転送して記憶した後、この画像記憶手段から画像データを読み出して１画面分の画像データを表示手段に表示する際に、前記順次生成される１画面分の画像データの前記画像記憶手段への転送を制御する画像転送方法において、前記順次生成される１画面分の画像データのうち、複数フレームに１回の割合で該画像データを前記画像記憶手段に転送して記憶するように制御する。
【００１０】
したがって、入力画像から生成された画像データをコマ落としでスルー表示を行うことができ、入力画像をスルー表示する際の消費電力を低減することができる。
【００１１】
請求項２記載の発明は、
入力画像から１画面分の画像データを順次生成する画像生成手段と、
この画像生成手段により生成される１画面分の画像データを記憶する画像記憶手段と、
この画像記憶手段に記憶された１画面分の画像データを読み出して表示手段に表示する画像表示制御手段と、
を備えた画像表示装置において、
前記画像生成手段において前記入力画像から複数フレームに１回の割合で１画面分の画像データを生成させるように制御する画像生成制御手段と、
この画像生成制御手段により前記画像生成手段において画像データが生成された時に、この生成された画像データを前記画像記憶手段に転送するように制御する画像転送制御手段と、
を備えたことを特徴としている。
【００１２】
この請求項２記載の発明によれば、
入力画像から１画面分の画像データを順次生成する画像生成手段と、この画像生成手段により生成される１画面分の画像データを記憶する画像記憶手段と、この画像記憶手段に記憶された１画面分の画像データを読み出して表示手段に表示する画像表示制御手段と、を備えた画像表示装置において、画像生成制御手段により、前記画像生成手段において前記入力画像から複数フレームに１回の割合で１画面分の画像データを生成させるように制御し、画像転送制御手段により、この画像生成制御手段により前記画像生成手段において画像データが生成された時に、この生成された画像データを前記画像記憶手段に転送するように制御する。
【００１３】
請求項５記載の発明は、
入力画像から順次生成される１画面分の画像データを画像記憶手段に転送して記憶した後、この画像記憶手段から画像データを読み出して１画面分の画像データを表示手段に表示する際に、前記順次生成される１画面分の画像データの前記画像記憶手段への転送を制御する画像転送方法において、
前記入力画像から複数フレームに１回の割合で１画面分の画像データを生成させるように制御し、
この画像生成制御により画像データが生成された時に、この生成された画像データを前記画像記憶手段に転送するように制御することを特徴としている。
【００１４】
この請求項５記載の発明によれば、
入力画像から順次生成される１画面分の画像データを画像記憶手段に転送して記憶した後、この画像記憶手段から画像データを読み出して１画面分の画像データを表示手段に表示する際に、前記順次生成される１画面分の画像データの前記画像記憶手段への転送を制御する画像転送方法において、前記入力画像から複数フレームに１回の割合で１画面分の画像データを生成させるように制御し、この画像生成制御により画像データが生成された時に、この生成された画像データを前記画像記憶手段に転送するように制御する。
【００１５】
したがって、入力画像から生成された画像データをコマ落としせずにスルー表示を行うことができ、その入力画像をスルー表する際の消費電力を更に抑えることができる。
【００１６】
請求項３記載の発明は、
請求項１あるいは２記載の画像表示装置において、前記画像記憶手段に複数画面分の前記画像データを記憶する複数の画像記憶領域を設定し、
前記複数の画像記憶領域のうち１つの画像記憶領域を前記画像転送制御手段により画像データを転送する転送画像領域として設定し、
前記複数の画像記憶領域のうち前記転送画像領域とは異なる１つの画像記憶領域を前記画像表示制御手段により画像データを表示する表示画像領域として設定し、
前記画像転送制御手段により前記転送画像領域に対して１画面分の画像データの転送が終了すると、該転送が終了した転送画像領域とは異なる前記複数の画像記憶領域のうちの１つに転送画像領域を変更し、
前記画像表示制御手段により１画面分の画像データの前記表示手段への表示が終了すると、前記転送が終了した転送画像領域を表示画像領域に変更することが有効である。
【００１７】
この請求項３記載の発明によれば、
前記画像記憶手段に複数画面分の前記画像データを記憶する複数の画像記憶領域を設定し、前記複数の画像記憶領域のうち１つの画像記憶領域を前記画像転送制御手段により画像データを転送する転送画像領域として設定し、前記複数の画像記憶領域のうち前記転送画像領域とは異なる１つの画像記憶領域を前記画像表示制御手段により画像データを表示する表示画像領域として設定し、前記画像転送制御手段により前記転送画像領域に対して１画面分の画像データの転送が終了すると、該転送が終了した転送画像領域とは異なる前記複数の画像記憶領域のうちの１つに転送画像領域を変更し、前記画像表示制御手段により１画面分の画像データの前記表示手段への表示が終了すると、前記転送が終了した転送画像領域を表示画像領域に変更する。
【００１８】
したがって、入力画像から生成される画像データの書き込み領域と読み出し領域を、そのフレーム毎の画像データの表示手段における表示タイミングが崩れないように設定することができる。
【００１９】
請求項６記載の発明は、
入力画像から生成された画像データを画像記憶手段に記憶して表示するためのコンピュータが読み取り可能なプログラムを格納した記憶媒体であって、
入力画像から１画面分の画像データを順次生成させるプログラムコードと、
この順次生成される１画面分の画像データのうち、複数フレームに１回の割合で該画像データを前記画像記憶手段に転送して記憶させるプログラムコードと、
この画像記憶手段に記憶された１画面分の画像データを読み出して表示手段に表示させるプログラムコードと、
を格納したことを特徴としている。
【００２０】
この請求項６記載の発明によれば、
入力画像から生成された画像データを画像記憶手段に記憶して表示するためのコンピュータが読み取り可能なプログラムを格納した記憶媒体であって、入力画像から１画面分の画像データを順次生成させるプログラムコードと、この順次生成される１画面分の画像データのうち、複数フレームに１回の割合で該画像データを前記画像記憶手段に転送して記憶させるプログラムコードと、この画像記憶手段に記憶された１画面分の画像データを読み出して表示手段に表示させるプログラムコードと、を格納する。
【００２１】
したがって、コンピュータによって記憶媒体に格納されているプログラムを読み出して実行することで、入力画像から生成された画像データをコマ落としでスルー表示を行うことができ、入力画像をスルー表示する際の消費電力を低減することができる。
【００２２】
請求項７記載の発明は、
入力画像から生成された画像データを画像記憶手段に記憶して表示するためのコンピュータが読み取り可能なプログラムを格納した記憶媒体であって、
前記入力画像から複数フレームに１回の割合で１画面分の画像データを生成させるプログラムコードと、
この画像データが生成された時に、この生成された１画面分の画像データを画像記憶手段に転送して記憶させるプログラムコードと、
この画像記憶手段に記憶された１画面分の画像データを読み出して表示手段に表示させるプログラムコードと、
を格納したことを特徴としている。
【００２３】
この請求項７記載の発明によれば、
入力画像から生成された画像データを画像記憶手段に記憶して表示するためのコンピュータが読み取り可能なプログラムを格納した記憶媒体であって、前記入力画像から複数フレームに１回の割合で１画面分の画像データを生成させるプログラムコードと、この画像データが生成された時に、この生成された１画面分の画像データを画像記憶手段に転送して記憶させるプログラムコードと、
この画像記憶手段に記憶された１画面分の画像データを読み出して表示手段に表示させるプログラムコードと、を格納する。
【００２４】
したがって、コンピュータによって記憶媒体に格納されているプログラムを読み出して実行することで、入力画像から生成された画像データをコマ落としせずにスルー表示を行うことができ、その入力画像をスルー表する際の消費電力を更に抑えることができる。
【００２５】
【発明の実施の形態】
以下、図を参照して本発明の実施の形態を詳細に説明する。
【００２６】
（第１の実施の形態）
図１〜図７は、本発明の画像表示装置及び画像表示方法を適用した第１の実施の形態のデジタルカメラを示す図である。
【００２７】
まず、構成を説明する。
【００２８】
図１は、本第１の実施の形態のデジタルカメラ１の要部構成を示すブロック図である。この図１において、デジタルカメラ１は、ＣＣＤ２、ＣＣＤ制御部３、ＹＵＶプロセッサ４、メモリコントローラ５、画像メモリ６、キー処理部７、ＣＰＵ８、ＲＯＭ９、記憶媒体１０、ビデオエンコーダ１１及び液晶モジュール１２により構成されている。
【００２９】
ＣＣＤ（Charge Coupled Device ）２は、フォトダイオード等の受光部に転送電極を重ねた素子（画素）を平面状に多数配設した画素面と、各画素に蓄積された電荷を電圧に変換して出力するバッファを有する出力部と、から構成される。このＣＣＤ２では、図外の図示しない撮像レンズを介して入射した光が前記画素面で受光され、各画素には受光量に比例した電荷が蓄積される。各画素の蓄積電荷は、ＣＣＤ制御部３から供給される駆動信号に応じて前記出力部により電気信号として１画素分ずつ順次読み出され、撮像信号（アナログ信号）としてバッファを介してＣＣＤ制御部３に出力される。
【００３０】
ＣＣＤ制御部３は、ＣＣＤ２から入力される撮像信号をＡ／Ｄ（Analog to D-igital）変換するＡ／Ｄ変換回路と、ＣＣＤ２の露光及び読み出しタイミングを駆動制御する駆動制御回路と、その駆動制御回路における駆動タイミング（フレーム同期タイミング）を制御するタイミングジェネレータと、から構成される。このＣＣＤ制御部３では、ＣＣＤ２からその出力部のバッファを介して入力される撮像信号をアナログ信号からデジタル信号に変換してタイミングジェネレータに供給し、タイミングジェネレータは、そのＡ／Ｄ変換回路から供給されたデジタル信号を撮像信号としてＹＵＶプロセッサに出力する。また、駆動制御回路では、タイミングジェネレータから供給されるタイミング信号に基づいてＣＣＤ２の露光及び読み出しタイミングをフレーム同期タイミングで駆動制御する。
【００３１】
ＹＵＶプロセッサ４は、ＣＣＤ制御部３内のタイミングジェネレータを介して供給された撮像信号（デジタル信号）に対して色演算処理を行ない、ＣＣＤ制御部３から入力された画像データから輝度データ（Ｙ）と色データ（Ｃｂデータ、Ｃｒデータ）を順次生成し、この生成した輝度データ（Ｙデータ）と色データ（ＣｂデータあるいはＣｒデータ）から構成されるＹＵＶデータをメモリコントローラ５に順次出力する。
【００３２】
メモリコントローラ５は、ＹＵＶプロセッサ４から１フレーム毎に順次入力される輝度データ（Ｙ）と色データ（Ｃｂ、Ｃｒ）を画像メモリ６に順次転送して蓄積させ、すなわち、ＣＣＤ２の各画像データから順次生成されて転送される１フレーム分の３種類のデータをＹＵＶデータとして画像メモリ６に順次蓄積させる。また、メモリコントローラ５は、後述するＹＵＶデータのＤＭＡ転送処理、及びビデオエンコーダへの転送処理を実行して、このＤＭＡ転送処理、及びビデオエンコーダへの転送処理による一連の処理は、ＣＣＤ２において１フレーム分の画像データが取り込まれるフレーム同期期間に終了するように設定され、ＣＰＵ８からフレーム同期割り込みタイミングで入力されるＤＭＡ転送開始信号に応じて処理を開始し、ＣＣＤ２により取り込まれＹＵＶプロセッサ４から入力されるフレーム単位のＹＵＶデータを数フレーム置きに画像メモリ６に書き込み、この数フレーム置きに画像メモリ６からＹＵＶデータを読み出してビデオエンコーダ１１に転送して、ビデオエンコーダ１１により表示コマ数を落としたモニター画像を液晶モジュール１２に表示させる。
【００３３】
画像メモリ６は、メモリコントローラ５によりフレーム同期割り込みタイミングでフレーム毎あるいは数フレーム置きに転送される３種類のデータ（輝度データ（Ｙデータ）と色データ（Ｃｂデータ、Ｃｒデータ））から構成されたＹＵＶデータを１フレーム分ずつ蓄積するとともに、そのフレーム毎あるいは数フレーム置きのタイミングで蓄積したＹＵＶデータがメモリコントローラ５により読み出されてビデオエンコーダ１１に転送される。また、画像メモリ６では、メモリコントローラ５によりＹＵＶプロセッサ４からフレーム毎にＤＭＡ転送されるＹＵＶデータが書き込まれるメモリエリア、及びその書き込まれたＹＵＶデータが読み出されるメモリエリアとしてメモリエリア０（ｍｅｍ  ａｒｅａ１），メモリエリア１（ｍｅｍ  ａｒｅａ１），メモリエリア２（ｍｅｍ  ａｒｅａ２）の３つのメモリエリアが設定されている。
【００３４】
この画像メモリ６内のメモリエリアを３つとした利用としては、撮像されたモニタ画像をスルー表示する際に、取り込んだフレーム毎のＹＵＶデータをビデオエンコーダ１１においてビデオ信号に変換するタイミングが崩れないようにするためである。
【００３５】
キー処理部７は、図示しないモード切換スイッチ、電源スイッチ、及びシャッターキー等により構成され、各キーの押圧操作に応じた各種操作信号をＣＰＵ８に出力する。
【００３６】
ＣＰＵ（Central Processing Unit ）８は、ＲＯＭ９に格納される各種制御プログラムに従ってデジタルカメラ１の各部を制御する中央演算処理装置である。具体的には、ＣＰＵ８は、モード切換スイッチがスライド操作されて撮影モードが指定されると、ＣＣＤ制御部３によりＣＣＤ２を駆動制御させて、ＣＣＤ制御部３、ＹＵＶプロセッサ４、及びメモリコントローラ５により撮影に係る処理を実行させる。
【００３７】
この撮影処理に際して、ＣＣＤ２により撮像されたアナログ信号の画像信号が、ＣＣＤ制御部３によりＡ／Ｄ変換され、そのデジタル画像信号がＹＵＶプロセッサ４により色演算処理が行なわれて、１フレーム分の画像データに対して、輝度データ（Ｙデータ）と色データ（Ｃｂデータ、Ｃｒデータ）からなるＹＵＶデータが順次生成されてメモリコントローラ５に入力されると、メモリコントローラ５により画像メモリ６に蓄積された後、キー処理部７においてモード切換スイッチがスライド操作されて画像表示モードが指定されると、メモリコントローラ５、及びビデオエンコーダ１１に対して後述するＹＵＶデータのＤＭＡ転送処理、及びビデオエンコーダへの転送処理を実行させる。
【００３８】
ＲＯＭ（Read Only Memory）９は、ＣＰＵ８がデジタルカメラ１の各部を制御するための各種制御プログラムを格納するとともに、メモリコントローラにより実行される後述するＹＵＶデータのＤＭＡ転送処理プログラム、及びビデオエンコーダへの転送処理を格納している。
【００３９】
記憶媒体１０は、磁気的、光学的記録媒体、若しくは半導体メモリにより構成されており、ＣＰＵ８から転送される画像データを、その格納順に格納Ｎｏ．データと対応付けて複数格納する。
【００４０】
ビデオエンコーダ１１は、メモリコントローラ５により数フレーム置きに転送される１フレーム分のＹＵＶデータに基づいてビデオ信号を生成し、この生成したビデオ信号により液晶モジュール１２を駆動して、コマ落としのモニター画像を表示させる。
【００４１】
液晶モジュール１２は、ビデオエンコーダ１１から入力されるビデオ信号に基づいて表示画面に画像を表示する。
【００４２】
次に、本第１の実施の形態の動作を説明する。
【００４３】
まず、デジタルカメラ１において従来と同様に滑らかなスルー表示を行う場合の動作について図２に示す各部信号のタイミングチャートを参照して説明する。
【００４４】
この図２において、（ａ）はＣＣＤ２から１フレーム分の画像データを取り込む際にＣＣＤ制御部３により設定されるフレーム同期期間を示すフレーム同期信号であり、（ｂ）はＹＵＶプロセッサ４によりフレーム毎の画像テータから生成されて出力されるＹＵＶデータであり、（ｃ）は図中に示すｄｍａ  ｓｔａｒｔ信号による割り込みタイミングでメモリコントローラ５により出力されるメモリ書込信号であり、（ｄ）〜（ｆ）は画像メモリ６内の３つの書込エリア（ｍｅｍａｒｅａ０，ｍｅｍ  ａｒｅａ１，ｍｅｍ  ａｒｅａ２）に対するフレーム毎のＹＵＶデータの書き込み状態を示し、（ｇ）は画像メモリ６にＹＵＶデータが書き込まれる際にメモリコントローラ５により出力される書き込みエリアを指定する書込エリアＮｏ．であり、（ｈ）は画像メモリ６からＹＵＶデータが読み出される際にメモリコントローラ５により出力される読み出しエリアを指定する読出エリアＮｏ．であり、（ｉ）は画像メモリ６から読み出したＹＵＶデータをビデオエンコーダ１１に転送する際に同期をとるための垂直同期信号であり、（ｊ）はビデオエンコーダ１１によりフレーム毎に出力されるビデオ信号である。
【００４５】
図１のデジタルカメラ１において、キー処理部７におけるシヤッターキーの押圧操作が行われると、ＣＣＤ２により撮像される撮像画像は直ちに液晶モジュール１２に滑らかにスルー表示されるように以下に説明するデジタルカメラ１内の各部における処理が行われる。
【００４６】
まず、ＣＣＤ２では、ＣＣＤ制御部３から供給される駆動信号、及び設定される図２（ａ）のフレーム同期信号に応じて順次撮像される１フレーム分の撮像信号がＣＣＤ制御部３に順次出力されると、ＣＣＤ制御部３では、ＣＣＤ２から順次入力される１フレーム分の撮像信号が、アナログ信号からデジタル信号に順次変換されて、１フレーム毎にデジタル信号の撮像信号としてＹＵＶプロセッサに順次出力される。
【００４７】
そして、ＹＵＶプロセッサ４では、ＣＣＤ制御部３から順次入力される１フレーム分の撮像信号（デジタル信号）に対して各フレーム同期期間内で色演算処理が行なわれて、その画像データから輝度データ（Ｙデータ）と色データ（Ｃｂデータ、Ｃｒデータ）が順次生成され、この輝度データ（Ｙデータ）と色データ（ＣｂデータあるいはＣｒデータ）から構成される図２（ｂ）の１フレーム毎のＹＵＶデータとしてメモリコントローラ５に順次出力される。
【００４８】
メモリコントローラ５では、ＣＰＵ８からフレーム同期の割り込みタイミングで入力されるＤＭＡ転送開始信号（図２のｄｍａ  ｓｔａｒｔ）により画像メモリ６に対して図２（ｃ）のメモリ書込信号と同図（ｇ）の書込エリアＮｏ．が出力されて、ＹＵＶプロセッサ４から１フレーム毎に入力されるＹＵＶデータの画像メモリ６へのＤＭＡ転送処理と書込エリアＮｏ．で指定されたメモリエリアへの書込処理が行われる。このＤＭＡ転送処理は１フレーム毎に終了し、次のＤＭＡ転送開始信号が出力されるまで行われない。
【００４９】
すなわち、図２において、最初のＤＭＡ転送開始信号が出力されると、メモリコントローラ５から同図（ｇ）の書込エリアＮｏ．が「ｍｅｍ  ａｒｅａ０」として出力されて、同図（ｂ）のＹＵＶデータ１が画像メモリ６内のメモリエリア０にＤＭＡ転送されて書き込まれる。この最初のＤＭＡ転送処理が終了すると、その書込エリアＮｏ．と同図（ｈ）の読出エリアＮｏ．が更新され、画像メモリ６に対する読出エリアＮｏ．は、最初のＹＵＶデータのＤＭＡ転送処理が終了したメモリエリア０に変更される。
【００５０】
そして、画像メモリ６内のメモリエリア０に書き込まれたＹＵＶデータ１は、図２（ｉ）のビデオエンコーダ１１における垂直同期信号に基づくタイミングで、先に読出エリアＮｏ．として指定された「ｍｅｍ  ａｒｅａ０」により画像メモリ６内のメモリエリア０から読み出されてビデオエンコーダ１１に転送される。ビデオエンコーダ１１では、メモリコントローラ５から転送されるＹＵＶデータ１に基づいて、図２（ｉ）に示す第１フィールドのビデオ信号（１−１）、第２フィールドのビデオ信号（１−２）の順に生成されて液晶モジュール１２に出力される。
【００５１】
続いて、次のフレーム同期信号のフレーム同期割り込みタイミングでＤＭＡ転送開始信号がＣＰＵ８からメモリコントローラ５に出力されると、メモリコントローラ５から同図（ｇ）の書込エリアＮｏ．が「ｍｅｍ  ａｒｅａ１」として出力されて、同図（ｂ）のＹＵＶデータ２が画像メモリ６内のメモリエリア１にＤＭＡ転送されて書き込まれる。この２番目のＤＭＡ転送処理が終了すると、その書込エリアＮｏ．と同図（ｈ）の読出エリアＮｏ．が更新され、画像メモリ６に対する読出エリアＮｏ．は、２番目のＹＵＶデータのＤＭＡ転送処理が終了したメモリエリア１に変更される。
【００５２】
そして、画像メモリ６内のメモリエリア１に書き込まれたＹＵＶデータ２は、図２（ｉ）のビデオエンコーダ１１における垂直同期信号に基づくタイミングで、先に読出エリアＮｏ．として指定された「ｍｅｍ  ａｒｅａ１」により画像メモリ６内のメモリエリア１から読み出されてビデオエンコーダ１１に転送される。ビデオエンコーダ１１では、メモリコントローラ５から転送されるＹＵＶデータ２に基づいて、図２（ｊ）に示す第１フィールドのビデオ信号（２−１）、第２フィールドのビデオ信号（２−２）の順に生成されて液晶モジュール１２に出力される。
【００５３】
以降、同様にフレーム同期信号のフレーム同期割り込みタイミングでＤＭＡ転送開始信号がＣＰＵ８からメモリコントローラ５に出力される毎に、上記メモリコントローラ５によるフレーム毎のＹＵＶデータの転送書き込み処理、及び読み出し転送処理と、ビデオエンコーダ１１によるビデオ信号生成処理が繰返し実行されることにより、ＣＣＤ２からフレーム毎に取り込まれる撮像信号に基づいて画像メモリ６に順次書き込まれるＹＵＶデータに基づいてビデオエンコーダ１１ではビデオ信号が更新されるため、液晶モジュール１２には滑らかなモニタ画像のスルー表示が行われる。
【００５４】
次に、デジタルカメラ１においてコマ落としのモニタ画像表示を行う場合の動作について図３に示す各部信号のタイミングチャートを参照して説明する。
【００５５】
この図３において（ａ）、（ｂ）、（ｆ）〜（ｉ）に示す各信号は、上記図２の（ａ）、（ｂ）、（ｇ）〜（ｊ）に示した各信号と同様のものである。また、この図３において、（ｃ）は図中に示す数フレーム置きにＣＰＵ８により出力されるｄｍａ  ｓｔａｒｔ信号による割り込みタイミングでメモリコントローラ５により出力されるメモリ書込信号であり、（ｄ）、（ｅ）は画像メモリ６内の２つの書込エリア（ｍｅｍ  ａｒｅａ０，ｍｅｍ  ａｒｅａ１）に対するフレーム毎のＹＵＶデータの書き込み状態を示す。この場合、ＹＵＶプロセッサ４から転送されるＹＵＶデータの書き込みタイミングの間隔は、上記スルー表示の場合よりも長いため２つのメモリエリアで充分である。
【００５６】
この図３に示すタイミングチャートによる動作では、上記図２と同様に、ＹＵＶプロセッサ４からメモリコントローラ５により画像メモリ６にＤＭＡ転送されて書き込まれる１フレームのＹＵＶデータの書き込みエリアは、図３（ｆ）の書込エリアＮｏ．により指定され、画像メモリ６から読み出されてビデオエンコーダ１１に転送される１フレームのＹＵＶデータの読み出しエリアは、図３（ｇ）の読出エリアＮｏ．により指定され、そのＹＵＶデータのＤＭＡ転送処理が終了した時に、その書込エリアＮｏ．と読出エリアＮｏ．が更新される。
【００５７】
図１のデジタルカメラ１において、キー処理部７におけるシヤッターキーの押圧操作が行われると、ＣＣＤ２により撮像される撮像画像は直ちに液晶モジュール１２にコマ落としでスルー表示されるように以下に説明するデジタルカメラ１内の各部における処理が行われる。
【００５８】
まず、ＣＣＤ２では、ＣＣＤ制御部３から供給される駆動信号、及び設定される図３（ａ）のフレーム同期信号に応じて順次撮像される１フレーム分の撮像信号がＣＣＤ制御部３に順次出力されると、ＣＣＤ制御部３では、ＣＣＤ２から順次入力される１フレーム分の撮像信号が、アナログ信号からデジタル信号に順次変換されて、１フレーム毎にデジタル信号の撮像信号としてＹＵＶプロセッサ４に順次出力される。
【００５９】
そして、ＹＵＶプロセッサ４では、ＣＣＤ制御部３から順次入力される１フレーム分の撮像信号（デジタル信号）に対して各フレーム同期期間内で色演算処理が行なわれて、その画像データから輝度データ（Ｙデータ）と色データ（Ｃｂデータ、Ｃｒデータ）が順次生成され、この輝度データ（Ｙデータ）と色データ（ＣｂデータあるいはＣｒデータ）から構成される図３（ｂ）の１フレーム毎のＹＵＶデータとしてメモリコントローラ５に順次出力される。
【００６０】
メモリコントローラ５では、ＣＰＵ８からフレーム同期の割り込みタイミングで入力されるＤＭＡ転送開始信号（図３のｄｍａ  ｓｔａｒｔ）により画像メモリ６に対して図３（ｃ）のメモリ書込信号と同図（ｆ）の書込エリアＮｏ．が出力されて、ＹＵＶプロセッサ４から１フレーム毎に入力されるＹＵＶデータの画像メモリ６へのＤＭＡ転送処理と書込エリアＮｏ．で指定されたメモリエリアへの書込処理が行われる。このＤＭＡ転送処理は１フレーム毎に終了し、次のＤＭＡ転送開始信号が出力されるまで行われない。
【００６１】
すなわち、図３において、最初のＤＭＡ転送開始信号が出力されると、メモリコントローラ５から同図（ｆ）の書込エリアＮｏ．が「ｍｅｍ  ａｒｅａ０」として出力されて、同図（ｂ）の最初のＹＵＶデータ１が画像メモリ６内のメモリエリア０にＤＭＡ転送されて書き込まれる。この最初のＤＭＡ転送処理が終了すると、その書込エリアＮｏ．と同図（ｇ）の読出エリアＮｏ．が更新され、画像メモリ６に対する読出エリアＮｏ．は、最初のＹＵＶデータのＤＭＡ転送処理が終了したメモリエリア０に変更される。
【００６２】
そして、画像メモリ６内のメモリエリア０に書き込まれたＹＵＶデータ１は、図３（ｈ）のビデオエンコーダ１１における垂直同期信号に基づくタイミングで、先に読出エリアＮｏ．として指定された「ｍｅｍ  ａｒｅａ０」により画像メモリ６内のメモリエリア０から読み出されてビデオエンコーダ１１に転送される。ビデオエンコーダ１１では、メモリコントローラ５から転送されるＹＵＶデータ１に基づいて、図３（ｉ）に示す第１フィールドのビデオ信号（１−１）、第２フィールドのビデオ信号（１−２）の順に生成されて液晶モジュール１２に出力される。
【００６３】
続いて、図３（ａ）に示す次の２番目のフレーム同期信号のフレーム同期割り込みタイミングでＤＭＡ転送開始信号は出力されず、このため次のフレーム同期信号のタイミングでＹＵＶプロセッサ４からメモリコントローラ５に転送されるＹＵＶデータ２は画像メモリ６にＤＭＡ転送されない。このため、当該２番目のフレーム同期タイミングでは、前の最初のフレーム同期タイミングで画像メモリ６に書き込まれたＹＵＶデータ１が、メモリコントローラ５により読み出されてビデオエンコーダ１１に転送されて、ビデオエンコーダ１１からは、図３（ｉ）に示すように、前フレームと同じ第１フィールドのビデオ信号（１−１）と、第２フィールドのビデオ信号（１−２）が液晶モジュール１２に出力される。この時、書込エリアＮｏ．と読出エリアＮｏ．は更新されず、その書込エリアＮｏ．と読出エリアＮｏ．は「ｍｅｍ  ａｒｅａ０」のままである。
【００６４】
次いで、図３（ａ）に示す次の３番目のフレーム同期信号のフレーム同期割り込みタイミングでＤＭＡ転送開始信号は出力されて、メモリコントローラ５から同図（ｆ）の書込エリアＮｏ．が「ｍｅｍ  ａｒｅａ０」として出力されて、同図（ｂ）の３番目のＹＵＶデータ３が画像メモリ６内のメモリエリア０にＤＭＡ転送されて書き込まれる。この３番目のＤＭＡ転送処理が終了すると、その書込エリアＮｏ．と同図（ｇ）の読出エリアＮｏ．が更新され、画像メモリ６に対する読出エリアＮｏ．は、最初のＹＵＶデータのＤＭＡ転送処理が終了したメモリエリア０に変更される。
【００６５】
そして、画像メモリ６内のメモリエリア０に書き込まれたＹＵＶデータ３は、図３（ｈ）のビデオエンコーダ１１における垂直同期信号に基づくタイミングで、先に読出エリアＮｏ．として指定された「ｍｅｍ  ａｒｅａ０」により画像メモリ６内のメモリエリア０から読み出されてビデオエンコーダ１１に転送される。ビデオエンコーダ１１では、メモリコントローラ５から転送されるＹＵＶデータ３に基づいて、図３（ｉ）に示す第１フィールドのビデオ信号（３−１）、図示しない第２フィールドのビデオ信号（３−２）の順に生成されて液晶モジュール１２に出力される。
【００６６】
以降、同様にフレーム同期信号の２フレーム毎のフレーム同期割り込みタイミングでＤＭＡ転送開始信号がＣＰＵ８からメモリコントローラ５に出力される毎に、上記メモリコントローラ５による２フレーム毎のＹＵＶデータの転送書き込み処理、及び読み出し転送処理と、ビデオエンコーダ１１によるビデオ信号生成処理が繰返し実行されることにより、ＣＣＤ２から２フレーム毎に取り込まれる撮像信号に基づいて画像メモリ６に２コマ毎に書き込まれるＹＵＶデータに基づいてビデオエンコーダ１１ではビデオ信号が更新されるため、液晶モジュール１２にはコマ数を落としモニタ画像のスルー表示が行われる。
【００６７】
次いで、このコマ落としのモニタ画像のスルー表示においてメモリコントローラ５により実行されるＹＵＶデータのＤＭＡ転送処理の詳細について図４に示すフローチャートに基づいて説明する。
【００６８】
図４に示すＹＵＶデータのＤＭＡ転送処理では、メモリコントローラ５は、まず、ＣＰＵ８からＤＭＡ転送開始信号（ｄｍａ  ｓｔａｒｔ）が入力されたか否かを監視し（ステップＳ１）、ＣＰＵ８からＤＭＡ転送開始信号（ｄｍａ  ｓｔａｒｔ）が入力されると、ＹＵＶプロセッサ４から１フレーム分のＹＵＶデータが入力されるのを待つ（ステップＳ２）。そして、ＹＵＶプロセッサ４から入力されるＹＵＶデータがＤＭＡ転送処理するため１フレーム分溜まったか否かを確認し（ステップＳ３）、そのＹＵＶデータが１フレーム分溜まったことを確認すると、その溜まったＹＵＶデータを上記書込エリアＮｏ．により指定される画像メモリ６内のメモリエリアにＤＭＡ転送して書き込む（ステップＳ４）。
【００６９】
次いで、その１フレーム分のＹＵＶデータの画像メモリ６へのＤＭＡ転送が終了したか否かを確認し（ステップＳ５）、終了していなければ、上記ステップＳ３の処理に戻って、当該ＹＵＶデータの画像メモリ６へのＤＭＡ転送処理を繰返し実行し、当該１フレーム分のＹＵＶデータの画像メモリ６へのＤＭＡ転送処理が終了したことを確認すると、ＣＰＵ８に対してＤＭＡ転送処理が終了したことを示すため、ＣＰＵ８に対してＤＭＡ転送終了割り込み処理を行って、本ＹＵＶデータのＤＭＡ転送処理を終了する。
【００７０】
次いで、上記コマ落としのモニタ画像のスルー表示においてメモリコントローラ５により実行されるビデオエンコーダ１１への転送処理の詳細について図５に示すフローチャートに基づいて説明する。
【００７１】
図５に示すビデオエンコーダ１１への転送処理では、メモリコントローラ５は、まず、ビデオエンコーダ１１における垂直同期信号に基づくタイミングに従って上記読出エリアＮｏ．により指定される画像メモリ６内のメモリエリアから１フレーム分のＹＵＶデータを読み出し（ステップＳ１１）、この読み出した１フレーム分のＹＵＶデータをビデオエンコーダ１１に転送して（ステップＳ１２）、本ビデオエンコーダ１１への転送処理を終了する。
【００７２】
次いで、上記コマ落としのモニタ画像のスルー表示においてＣＰＵ８により実行されるフレーム同期割り込み処理の詳細について図６に示すフローチャートに基づいて説明する。
【００７３】
図６に示すフレーム同期割り込み処理では、ＣＰＵ８は、まず、ＤＭＡ駆動間隔の設定値から１を引く（ステップＳ２１）。このＤＭＡ駆動間隔とは、モニタ画像のスルー表示のコマ数を決定する要素であり、１フレーム毎に画像が変化する滑らかなスルー表示を行う時には、ＤＭＡ駆動間隔を１に設定し、単位時間当りの表示コマ数を落としたスルー表示を行う時には、ＤＭＡ駆動間隔の設定値を２以上に設定する。従って、今回の処理ではコマ数を落としたスルー表示を行うため、このＤＭＡ駆動間隔の設定値を２以上に設定している。
【００７４】
そして、ステップＳ２２では、ＤＭＡ駆動間隔の設定値が０か否かを判別し、０でなければ本フレーム同期割り込み処理を終了し、０であればメモリコントローラ５に対してＤＭＡ転送開始信号（ｄｍａ  ｓｔａｒｔ）を出力する（ステップＳ）。すなわち、ＤＭＡ駆動間隔の設定値が０になる度にＤＭＡ転送開始信号（ｄｍａ  ｓｔａｒｔ）を出力するようにしたため、ＤＭＡ駆動間隔の設定値が２に設定されていれば、その設定値２から最初に１が引かれて１になるフレーム同期割り込みタイミングではＤＭＡ転送開始信号（ｄｍａ  ｓｔａｒｔ）が出力されず、その設定値２から次に１が引かれて０になるフレーム同期割り込みタイミングでＤＭＡ転送開始信号（ｄｍａ  ｓｔａｒｔ）がメモリコントローラ５に対して出力される。
【００７５】
従って、メモリコントローラ５により２コマ毎にＹＵＶデータが画像メモリ６に書き込まれることになり、２コマのうち１コマを落としたスルー表示を行うことができる。
【００７６】
次いで、上記ステップＳ２３の処理でＤＭＡ転送開始信号（ｄｍａ  ｓｔａｒｔ）を出力した後、ステップＳ２４でＤＭＡ駆動間隔の設定値を２に再設定して、本フレーム同期割り込み処理を終了する。
【００７７】
次いで、上記コマ落としのモニタ画像のスルー表示においてＣＰＵ８により実行されるＤＭＡ転送終了割り込み処理の詳細について図７に示すフローチャートに基づいて説明する。
【００７８】
図６に示すフレーム同期割り込み処理では、ＣＰＵ８は、まず、メモリコントローラ５からＤＭＡ転送終了割り込みが入力されると、上記読出エリアＮｏ．に上記ＤＭＡ転送処理において指定された書込エリアＮｏ．を代入し（ステップＳ３１）、書込エリアＮｏ．を上記画像メモリ６に設定されたメモリエリア０〜２に基づいて更新して（ステップＳ３２）、本フレーム同期割り込み処理を終了する。
【００７９】
以上のように、本第１の実施の形態のデジタルカメラ１では、ＣＣＤ２から１フレーム毎に取り込まれる撮像信号からＹＵＶプロセッサ４においてフレーム毎に生成されるＹＵＶデータの画像メモリ６への転送書き込みタイミングを、メモリコントローラ５において所定フレーム数置きのフレーム同期割り込みタイミングでＤＭＡ転送して書き込み、その数フレーム置きのフレーム同期割り込みタイミングでＹＵＶデータを読み出してビデオエンコーダ１１に転送するようにしたため、液晶モジュール１２にはコマ数を落としたモニタ画像のスルー表示を行うことができる。その結果、デジタルカメラ１ではスルー表示時の消費電力を抑えることができる。
【００８０】
なお、上記第１の実施の形態では、２フレームに１回の割合でＹＵＶデータのＤＭＡ転送処理を行う場合を示したが、そのＹＵＶデータのＤＭＡ転送割合は３フレーム、４フレームに１回でもよく、ＤＭＡ転送間隔が大きくなるほど単位時間当りの表示コマ数を減らして、更にスルー表示時の消費電力を減らすことができる。
【００８１】
（第２の実施の形態）
上記第１の実施の形態では、ＹＵＶプロセッサ４からフレーム毎に出力されるＹＵＶデータを、メモリコントローラ５側で所定フレーム数置きに選択して間欠転送することで、コマ数を落としたモニタ画像のスルー表示を行っていたが、本第２の実施の形態では、ＹＵＶプロセッサ４から出力されるＹＵＶデータ自体が間欠フレーム転送される場合について説明する。
【００８２】
図８〜図９は、本発明を適用した第２の実施の形態のデジタルカメラにおけるスルー表示の動作を説明するための図である。なお、本第２の実施の形態のデジタルカメラ１内の回路構成は、上記第１の実施の形態の図１に示した内の回路構成と同一であるため、その図示及び構成説明は省略する。
【００８３】
図８は、デジタルカメラ１においてコマ落としのモニタ画像表示を行う場合の動作を説明するための各部信号のタイミングチャートを示す図である。
【００８４】
この図８において（ａ）、（ｄ）〜（ｉ）に示す各信号は、上記図３の（ａ）、（ｃ）〜（ｈ）に示した各信号と同様のものである。また、この図８において、（ｂ）は図中に示す数フレーム置きにＹＵＶプロセッサ４から出力されるフレーム毎のＹＵＶデータであり、（ｃ）はＹＵＶプロセッサ４において設定されるＹＵＶデータを出力するか否かを決定するＹＵＶイネーブル信号である。
【００８５】
図１のデジタルカメラ１において、ＣＣＤ２では、ＣＣＤ制御部３から供給される駆動信号、及び設定される図８（ａ）のフレーム同期信号に応じて順次撮像される１フレーム分の撮像信号がＣＣＤ制御部３に順次出力されると、ＣＣＤ制御部３では、ＣＣＤ２から順次入力される１フレーム分の撮像信号が、アナログ信号からデジタル信号に順次変換されて、１フレーム毎にデジタル信号の撮像信号としてＹＵＶプロセッサ４に順次出力される。
【００８６】
そして、ＹＵＶプロセッサ４では、ＣＣＤ制御部３から順次入力される１フレーム分の撮像信号（デジタル信号）に対して、図８（ｃ）のＹＵＶイネーブル信号が１にセットされるフレーム同期期間内で色演算処理が行なわれて、その画像データから輝度データ（Ｙデータ）と色データ（Ｃｂデータ、Ｃｒデータ）が生成され、この輝度データ（Ｙデータ）と色データ（ＣｂデータあるいはＣｒデータ）から構成される図８（ｂ）の１フレーム毎のＹＵＶデータとしてメモリコントローラ５に出力される。
【００８７】
メモリコントローラ５では、ＣＰＵ８からフレーム同期の割り込みタイミングで入力されるＤＭＡ転送開始信号（図８のｄｍａ  ｓｔａｒｔ）により画像メモリ６に対して図８（ｄ）のメモリ書込信号と同図（ｇ）の書込エリアＮｏ．が出力されて、ＹＵＶプロセッサ４から１フレーム置きに入力されるＹＵＶデータの画像メモリ６へのＤＭＡ転送処理と書込エリアＮｏ．で指定されたメモリエリアへの書込処理が行われる。このＤＭＡ転送処理は１フレーム毎に終了し、次のＤＭＡ転送開始信号が出力されるまで行われない。
【００８８】
すなわち、図８において、最初のＹＵＶイネーブル信号が１にセットされて、最初のＤＭＡ転送開始信号が出力されると、メモリコントローラ５から同図（ｇ）の書込エリアＮｏ．が「ｍｅｍ  ａｒｅａ０」として出力されて、同図（ｂ）の最初のＹＵＶデータ１が画像メモリ６内のメモリエリア０にＤＭＡ転送されて書き込まれる。この最初のＤＭＡ転送処理が終了すると、その書込エリアＮｏ．と同図（ｈ）の読出エリアＮｏ．が更新され、画像メモリ６に対する読出エリアＮｏ．は、最初のＹＵＶデータのＤＭＡ転送処理が終了したメモリエリア０に変更される。
【００８９】
そして、画像メモリ６内のメモリエリア０に書き込まれたＹＵＶデータ１は、図８（ｉ）のビデオエンコーダ１１における垂直同期信号に基づくタイミングで、先に読出エリアＮｏ．として指定された「ｍｅｍ  ａｒｅａ０」により画像メモリ６内のメモリエリア０から読み出されてビデオエンコーダ１１に転送される。ビデオエンコーダ１１では、メモリコントローラ５から転送されるＹＵＶデータ１に基づいて、図８（ｊ）に示す第１フィールドのビデオ信号（１−１）、第２フィールドのビデオ信号（１−２）の順に生成されて液晶モジュール１２に出力される。
【００９０】
続いて、図８（ａ）に示す次の２番目のフレーム同期信号のフレーム同期割り込みタイミングでは、ＹＵＶプロセッサ４では同図（ｃ）のＹＵＶイネーブル信号が１にセットされないため、ＤＭＡ転送開始信号は出力されず、このため次のフレーム同期信号のタイミングでＹＵＶプロセッサ４からメモリコントローラ５に対してＹＵＶデータは転送されず、画像メモリ６へのＤＭＡ転送も行われない。このため、当該２番目のフレーム同期タイミングでは、前の最初のフレーム同期タイミングで画像メモリ６に書き込まれたＹＵＶデータ１が、メモリコントローラ５により読み出されてビデオエンコーダ１１に転送されて、ビデオエンコーダ１１からは、図８（ｊ）に示すように、前フレームと同じ第１フィールドのビデオ信号（１−１）と、第２フィールドのビデオ信号（１−２）が液晶モジュール１２に出力される。この時、書込エリアＮｏ．と読出エリアＮｏ．は更新されず、その書込エリアＮｏ．と読出エリアＮｏ．は「ｍｅｍ  ａｒｅａ０」のままである。
【００９１】
次いで、図８（ａ）に示す次の３番目のフレーム同期信号のフレーム同期割り込みタイミングでは、ＹＵＶプロセッサ４ではＹＵＶイネーブル信号が１にセットされるため、ＤＭＡ転送開始信号は出力されて、同図（ｂ）の２番目のＹＵＶデータ２がメモリコントローラ５に転送される。メモリコントローラ５では、同図（ｇ）の書込エリアＮｏ．が「ｍｅｍ  ａｒｅａ１」として出力されて、その２番目のＹＵＶデータ２が画像メモリ６内のメモリエリア１にＤＭＡ転送されて書き込まれる。この２番目のＤＭＡ転送処理が終了すると、その書込エリアＮｏ．と同図（ｈ）の読出エリアＮｏ．が更新され、画像メモリ６に対する読出エリアＮｏ．は、２番目のＹＵＶデータ２のＤＭＡ転送処理が終了したメモリエリア１に変更される。
【００９２】
そして、画像メモリ６内のメモリエリア１に書き込まれたＹＵＶデータ２は、図８（ｉ）のビデオエンコーダ１１における垂直同期信号に基づくタイミングで、先に読出エリアＮｏ．として指定された「ｍｅｍ  ａｒｅａ１」により画像メモリ６内のメモリエリア１から読み出されてビデオエンコーダ１１に転送される。ビデオエンコーダ１１では、メモリコントローラ５から転送されるＹＵＶデータ２に基づいて、図示しない第１フィールドのビデオ信号（２−１）、第２フィールドのビデオ信号（２−２）の順に生成されて液晶モジュール１２に出力される。
【００９３】
以降、同様にフレーム同期信号の２フレーム毎のフレーム同期割り込みタイミングでＹＵＶプロセッサ４においてＹＵＶイネーブル信号が１にセットされる毎に、ＤＭＡ転送開始信号がＣＰＵ８からメモリコントローラ５に出力されると、ＹＵＶプロセッサ４からメモリコントローラ５に対してＹＵＶデータが間欠転送され、メモリコントローラ５による２フレーム毎のＹＵＶデータの転送書き込み処理、及び読み出し転送処理と、ビデオエンコーダ１１によるビデオ信号生成処理が繰返し実行されることにより、ＣＣＤ２から２フレーム毎に取り込まれる撮像信号に基づいて画像メモリ６に２コマ毎に書き込まれるＹＵＶデータに基づいてビデオエンコーダ１１ではビデオ信号が更新されるため、液晶モジュール１２にはコマ数を落としモニタ画像のスルー表示が行われる。
【００９４】
次いで、上記コマ落としのモニタ画像のスルー表示においてＣＰＵ８により実行されるフレーム同期割り込み処理の詳細について図９に示すフローチャートに基づいて説明する。
【００９５】
図９に示すフレーム同期割り込み処理では、ＣＰＵ８は、まず、ＹＵＶプロセッサ４においてＹＵＶイネーブル信号が１にセットされたか否かを確認し（ステップＳ４１）、ＹＵＶイネーブル信号が１にセットされたことを確認すると、メモリコントローラ５に対してＤＭＡ転送開始信号（ｄｍａ  ｓｔａｒｔ）を出力して（ステップＳ４２）、本フレーム同期割り込み処理を終了する。
【００９６】
なお、本第２の実施の形態におけるメモリコントローラ５により実行されるＹＵＶデータのＤＭＡ転送処理、及びビデオエンコーダ１１への転送処理の詳細を説明するためのフローチャートについては、上記第１の実施の形態の図４、及び図５に示した各フローチャートと同一内容であるため、その図示及び説明は省略する。
【００９７】
以上のように、本第２の実施の形態のデジタルカメラ１では、ＹＵＶプロセッサ４内でセットされるＹＵＶイネーブル信号により所定フレーム数置きにメモリコントローラ５へ転送するＹＵＶデータを間欠転送し、メモリコントローラ５においてＹＵＶプロセッサ４からの転送タイミングでＹＵＶデータを画像メモリ６にＤＭＡ転送して書き込み、その数フレーム置きのフレーム同期割り込みタイミングでＹＵＶデータを読み出してビデオエンコーダ１１に間欠転送するようにしたため、液晶モジュール１２にはコマ落としせずにモニタ画像のスルー表示を行うことができ、スルー表示時の消費電力を更に抑えることができる。
【００９８】
なお、上記第２の実施の形態では、２フレームに１回の割合でＹＵＶデータ自体の間欠転送処理を行う場合を示したが、そのＹＵＶデータの間欠転送割合は３フレーム、４フレームに１回でもよく、間欠転送間隔が大きくなるほどスルー表示時の消費電力を減らすことができる。
【００９９】
また、上記各実施の形態のデジタルカメラ１では、画像メモリ６内にＹＵＶプロセッサ４からフレーム毎にＤＭＡ転送されるＹＵＶデータが書き込まれるメモリエリア、及びその書き込まれたＹＵＶデータが読み出されるメモリエリアとしてメモリエリア０（ｍｅｍ  ａｒｅａ１），メモリエリア１（ｍｅｍ  ａｒｅａ１），メモリエリア２（ｍｅｍ  ａｒｅａ２）の３つのメモリエリアを設定して利用するようにしたため、撮像されたモニタ画像をスルー表示する際に、フレーム毎のＹＵＶデータをビデオエンコーダ１１においてビデオ信号に変換するタイミングが崩れないようにすることができる。
【０１００】
なお、上記各実施の形態のデジタルカメラ１では、従来の滑らかなスルー表示とするか、本発明のコマ落としのスルー表示とするかを、キー処理部７におけるモード切換キーのキー操作により任意に切り換え可能としてもよい。この場合、デジタルカメラ１の使用者は、被写体の状態や撮影状況等に応じて撮像画像をスルー表示させる表示モードを任意に切り換えることができる。
【０１０１】
また、上記各実施の形態のデジタルカメラ１がオートフォーカス機能を備える場合は、フォーカスが合った場合は従来の滑らかなスルー表示とし、フォーカスが合っていない場合は本発明のコマ落としのスルー表示とするようにしてもよい。この場合、オートフォーカス機能の動作状態に応じて、各スルー表示モードを適宜切り換え制御することができ、各スルー表示モードの有効利用を図ることができる。
【０１０２】
また、上記各実施の形態のデジタルカメラ１において、デジタルカメラ１のシヤッターを半押しの場合は従来の滑らかなスルー表示とし、シヤッターを押さず電源ＯＮの通常時の場合は本発明のコマ落としのスルー表示とするようにしてもよい。この場合、デジタルカメラ１の動作状態に応じて各スルー表示モードを適宜切り換え制御することができ、各スルー表示モードの有効利用を図ることができる。
【０１０３】
また、上記各実施の形態では、デジタルカメラ１において撮像手段をＣＣＤとしたが、撮像管やＣＭＯＳ撮像素子としてもよい。
【０１０４】
また、本発明は、例えば、ＣＣＤカメラを備えたＰＣＭＣＩＡ（Personal Co-mputer Memory Card International Association）規格のＰＣカメラカードなどを装着することにより撮像機能（画像入力機能）を有することとなるパーソナルコンピュータなどの電子機器に対しても適用可能である。
【０１０５】
また、上記各実施の形態におけるデジタルカメラ１では、各種制御プログラムを記憶媒体であるＲＯＭに格納する構成としたが、記憶媒体はＲＯＭに代表される半導体メモリに限定されるものではなく、磁気的、光学的記録媒体などであってもよい。また、この記憶媒体は、デジタルカメラに対して着脱自在に装着可能なものであってもよい。
【０１０６】
【発明の効果】
請求項１記載の発明の画像表示装置及び請求項４記載の発明の画像転送方法によれば、入力画像から生成された画像データをコマ落としでスルー表示を行うことができ、入力画像をスルー表示する際の消費電力を低減することができる。
【０１０７】
請求項２記載の発明の画像表示装置及び請求項５記載の発明の画像転送方法によれば、入力画像から生成された画像データをコマ落としせずにスルー表示を行うことができ、その入力画像をスルー表する際の消費電力を更に抑えることができる。
【０１０８】
請求項３記載の発明の画像表示装置によれば、入力画像から生成される画像データの書き込み領域と読み出し領域を、そのフレーム毎の画像データの表示手段における表示タイミングが崩れないように設定することができる。
【０１０９】
請求項６記載の発明の記憶媒体によれば、コンピュータによって記憶媒体に格納されているプログラムを読み出して実行することで、入力画像から生成された画像データをコマ落としでスルー表示を行うことができ、入力画像をスルー表示する際の消費電力を低減することができる。
【０１１０】
請求項７記載の発明の記憶媒体によれば、コンピュータによって記憶媒体に格納されているプログラムを読み出して実行することで、入力画像から生成された画像データをコマ落としせずにスルー表示を行うことができ、その入力画像をスルー表する際の消費電力を更に抑えることができる。
【図面の簡単な説明】
【図１】本発明を適用した第１の実施の形態のデジタルカメラ１の要部構成を示すブロック図である。
【図２】図１のデジタルカメラ１において滑らかなスルー表示を行う場合の動作を説明するための各部信号のタイミングチャートを示す図である。
【図３】図１のデジタルカメラ１においてコマ落としスルー表示を行う場合の動作を説明するための各部信号のタイミングチャートを示す図である。
【図４】図１のメモリコントローラ５により実行されるＹＵＶデータのＤＭＡ転送処理を示すフローチャートである。
【図５】図１のメモリコントローラ５により実行されるビデオエンコーダへの転送処理を示すフローチャートである。
【図６】図１のＣＰＵ８により実行されるフレーム同期割り込み処理を示すフローチャートである。
【図７】図１のＣＰＵ８により実行されるＤＭＡ転送割り込み処理を示すフローチャートである。
【図８】本発明を適用した第２の実施の形態のデジタルカメラ１においてコマ落としスルー表示を行う場合の動作を説明するための各部信号のタイミングチャートを示す図である。
【図９】図１のＣＰＵ８により実行されるフレーム同期割り込み処理を示すフローチャートである。
【符号の説明】
１    ビデオカメラ
２    ＣＣＤ
３    ＣＣＤ制御部
４    ＹＵＶプロセッサ
５    メモリコントローラ
６    画像メモリ
７    キー処理部
８    ＣＰＵ
９    ＲＯＭ
１０    記憶媒体
１１    ビデオエンコーダ
１２    液晶モジュール
【図１】
0003713907.tif 000002
【図２】
0003713907.tif 000003
【図３】
0003713907.tif 000004
【図４】
0003713907.tif 000005
【図５】
0003713907.tif 000006
【図６】
0003713907.tif 000007
【図７】
0003713907.tif 000008
【図８】
0003713907.tif 000009
【図９】
0003713907.tif 000010